(57)【要約】【課題】毛穴の汚れを充分に除去し得る美容装置を提供する。【解決手段】グリップケース１に支持された弾性振動板２と、グリップケース１内に収容され、弾性振動板２を超音波振動させる超音波振動子３とを備えた美容装置において、グリップケース１には、弾性振動板２で施術する施術部に向かって、青色可視光若しくは紫外光の少なくともいずれかを含む施術光を照射する光源部６を備えた。【選択図】図１
2012065893.tif 000002
【特許請求の範囲】
【請求項１】
グリップケースに支持された弾性振動板と、
前記グリップケース内に収容され、前記弾性振動板を超音波振動させる超音波振動子と
を備えた美容装置において、
前記グリップケースには、前記弾性振動板で施術する施術部に向かって、青色可視光若しくは紫外光の少なくともいずれかを含む施術光を照射する光源部を備えたことを特徴とする美容装置。
【請求項２】
請求項１に記載の美容装置において、
前記施術光の照射に基づいて、前記施術部が発光する赤色光を受光したとき検出信号を出力する受光部と、
前記検出信号に基づいて、前記超音波振動子の振動振幅を制御する制御部と
を備えたことを特徴とする美容装置。
【請求項３】
請求項１に記載の美容装置において、
前記施術光の照射に基づいて、前記施術部が発光する赤色光を受光したとき検出信号を出力する受光部と、
前記検出信号に基づいて、前記光源部の発光出力を制御する制御部と
を備えたことを特徴とする美容装置。
【請求項４】
請求項２又は３に記載の美容装置において、
前記受光部を前記光源部より前記弾性振動板に近い位置に設けたことを特徴とする美容装置。
【請求項５】
請求項４に記載の美容装置において、
前記弾性振動板に、前記光源部から出力される施術光を透過させる開口部を備えたことを特徴とする美容装置。
【請求項６】
請求項５に記載の美容装置において、
前記開口部に前記施術光を透過させる投光板を嵌着したことを特徴とする美容装置。
【請求項７】
請求項１乃至６のいずれか１項に記載の美容装置において、
前記光源部の周囲には、前記施術部に向かう方向にのみ開口するカバーを備えたことを特徴とする美容装置。
【請求項８】
請求項２乃至７のいずれか１項に記載の美容装置において、
前記受光部の周囲には、前記施術部に向かう方向にのみ開口するカバーを備えたことを特徴とする美容装置。
【発明の詳細な説明】
【技術分野】
【０００１】
この発明は、超音波振動する振動板で肌面を擦ることにより、肌面の汚れを除去する美容装置に関するものである。
【背景技術】
【０００２】
従来、超音波で振動する振動板を肌面に押し当てて、肌面に付着している角質、皮脂や化粧残りを除去するようにした美容装置が提案されている。このような美容装置は、特許文献１に開示されるように、超音波振動子の振動により弾性振動板が厚さ方向に振動し、その振動に基づいて肌面の汚れを除去するようになっている。
【先行技術文献】
【特許文献】
【０００３】
【特許文献１】特開平０６−３２８０４２
【発明の概要】
【発明が解決しようとする課題】
【０００４】
上記のような美容装置では、超音波振動する弾性振動板を肌面に押し当てて汚れを除去する構成であるため、毛穴に詰まった汚れを充分に除去することができないという問題点がある。
【０００５】
この発明の目的は、毛穴の汚れを充分に除去し得る美容装置を提供することにある。
【課題を解決するための手段】
【０００６】
上記課題を解決するために、本発明の美容装置は、グリップケースに支持された弾性振動板と、グリップケース内に収容され、弾性振動板を超音波振動させる超音波振動子とを備えた美容装置であって、グリップケースには、弾性振動板で施術する施術部に向かって、青色可視光若しくは紫外光の少なくともいずれかを含む施術光を照射する光源部を備えたことを特徴とする。
【０００７】
また、上記構成において、施術光の照射に基づいて、施術部が発光する赤色光を受光したとき検出信号を出力する受光部と、検出信号に基づいて、超音波振動子の振動振幅を制御する制御部とを備えることが好ましい。
【０００８】
また、上記構成において、施術光の照射に基づいて、施術部が発光する赤色光を受光したとき検出信号を出力する受光部と、検出信号に基づいて、光源部の発光出力を制御する制御部とを備えることが好ましい。
【０００９】
また、上記構成において、受光部を光源部より弾性振動板に近い位置に設けることが好ましい。
また、上記構成において、弾性振動板に、光源部から出力される施術光を透過させる開口部を備えることが好ましい。
【００１０】
また、上記構成において、開口部に施術光を透過させる投光板を嵌着することが好ましい。
また、上記構成において、光源部の周囲には、施術部に向かう方向にのみ開口するカバーを備えることが好ましい。
【００１１】
また、上記構成において、受光部の周囲には、施術部に向かう方向にのみ開口するカバーを備えることが好ましい。
【発明の効果】
【００１２】
本発明によれば、毛穴の汚れを充分に除去し得る美容装置を提供することができる。
【図面の簡単な説明】
【００１３】
【図１】第一の実施形態を示す平面図である。
【図２】第一の実施形態を示す縦断面図である。
【図３】第一の実施形態の電気的構成を示すブロック図である。
【図４】第一の実施形態の制御部の動作を示すフローチャートである。
【図５】第二の実施形態を示す縦断面図である。
【図６】第二の実施形態の電気的構成を示すブロック図である。
【図７】第二の実施形態の制御部の動作を示すフローチャートである。
【図８】第三の実施形態の制御部の動作を示すフローチャートである。
【図９】第四の実施形態を示す縦断面図である。
【図１０】第五の実施形態を示す平面図である。
【図１１】第五の実施形態を示す断面図である。
【図１２】第五の実施形態の別例を示す断面図である。
【図１３】第六の実施形態を示す平面図である。
【発明を実施するための形態】
【００１４】
（第一の実施形態）
以下、この発明を具体化した第一の実施形態を図面に従って説明する。図１及び図２に示す美容装置は、筒状に形成されたグリップケース１にステンレス等の金属で板状に形成された弾性振動板２が支持され、その弾性振動板２の先端部はグリップケース１の先端から突出されている。
【００１５】
前記グリップケース１内の中央部には、前記弾性振動板２の基端部に接する超音波振動子３が配設される。また、グリップケース１の基端部には前記超音波振動子３の動作を制御する制御部４と、その制御部４に電源を供給する電源部５が配設されている。電源部５は、充電式バッテリー、乾電池あるいは商用電源の供給に基づいて所要の電圧を生成する電源回路のいずれでもよい。
【００１６】
そして、制御部４の制御に基づいて超音波振動子３が振動して、弾性振動板２が厚み方向に１０kHz〜１００kHzの振動周波数で振動するようになっている。このとき、弾性振動板２は先端に向かって振動振幅が増大するようになっている。
【００１７】
前記グリップケース１の先端部には波長４１５ｎｍ近傍の青色可視光（施術光）を発光する光源部６が配設されている。前記光源部６は、青色光を発光する発光ダイオードを備え、前記制御部４から出力される制御信号に基づいて前記弾性振動板２と並行して動作し、青色光を前記弾性振動板２の先端側に向かって照射するようになっている。
【００１８】
図３は、この実施形態の美容装置の電気的構成を示す。操作部７は前記グリップケース１の表面に設けられ、その操作部７の操作に基づく操作信号が前記制御部４に出力される。
【００１９】
制御部４は、操作部７からの操作信号に基づいて発振回路８を作動させる。発振回路８は前記超音波振動子３に駆動信号を出力し、その駆動信号に基づいて超音波振動子３が弾性振動板２を振動させる。また、制御部４は操作部７からの操作信号に基づいて前記光源部６を作動させて、その光源部６から青色光を出力させる。
【００２０】
次に、この実施形態の美容装置の制御部４の動作を図４に従って説明する。操作部７の電源スイッチがオンされると、電源部５から制御部４に電源が供給される（ステップ１）。そして、超音波振動子３が作動して弾性振動板２が振動するとともに（ステップ２）、光源部６が作動して青色光が出力される（ステップ３）。
【００２１】
この状態で、弾性振動板２の先端で鼻や頬等の肌面（施術部）を擦るように施術すると、肌面に付着している角質や化粧汚れあるいは毛穴の角栓が除去される。また、施術部への青色光の照射により、毛穴の角栓中に存在するポルフィリンから活性酸素が発生し、毛穴に存在するにきびの原因菌であるアクネ菌が殺菌されるとともに、活性酸素により皮脂腺の活動が抑制される。この結果、にきびの発生や毛穴のつまりを抑制することが可能となる。
【００２２】
ステップ２及びステップ３の動作は、電源スイッチがオフされるまで継続される。そして、電源スイッチがオフされると、制御部４の動作が停止して、超音波振動子３及び光源部６の動作が停止する（ステップ４，５）。
【００２３】
上記のように構成された美容装置では、次に示す作用効果を得ることができる。
（１）超音波振動する弾性振動板２で肌面を擦ることにより、肌面の汚れを落とすことができる。
（２）毛穴の角栓を振動板で除去しながら、毛穴に青色光を照射することにより、毛穴内を殺菌し、皮脂腺の活動を抑制することができる。
（第二の実施形態）
図５〜図７は第二の実施形態を示す。この実施形態は、前記第一の実施形態の美容装置の構成に受光部を備えたものである。第一の実施形態と同一構成部分は、同一符号を付して詳細な説明を省略する。
【００２４】
図５に示すように、グリップケース１の先端において、光源部６の上部には受光部９が配設されている。この受光部９は、肌面から赤色光を受光したとき、図６に示すように、検出信号を前記制御部４に出力する。
【００２５】
すなわち、前記光源部６から肌面に向かって青色光が照射されると、毛穴の角栓中に存在するポルフィリンが赤色に発光する。受光部９は、この赤色光を受光して検出信号を制御部４に出力する。特に、受光部９は赤色光源が例えば０．０２ｍｍ２以上となるとき、言い換えれば角栓中のポルフィリンが一定量以上であるとき、検出信号を出力するようになっている。また、前記制御部４は受光部９からの検出信号を受信すると、あらかじめ設定された所定時間Ｔの間、前記超音波振動子３の振幅を増大させるように動作する。上記以外の構成は、第一の実施形態と同様である。
【００２６】
図７は、この実施形態の制御部４の動作を示す。操作部７の電源スイッチがオンされると、電源部５から制御部４に電源が供給される（ステップ１１）。そして、超音波振動子３が作動して弾性振動板２が振動するとともに（ステップ１２）、光源部６が作動して青色光が出力される（ステップ１３）。
【００２７】
この状態で、弾性振動板２の先端で鼻や頬等の肌面を擦るように施術すると、肌面に付着している角質や化粧汚れあるいは毛穴の角栓が除去される。また、施術部への青色光の照射により、毛穴の角栓中に存在するポルフィリンから活性酸素が発生し、毛穴に存在するにきびの原因菌であるアクネ菌が殺菌されるとともに、活性酸素により皮脂腺の活動が抑制される。この結果、にきびの発生や毛穴のつまりを抑制することが可能となる。
【００２８】
肌面に青色光を照射しながら施術するとき、制御部４が受光部９からの検出信号を受信すると（ステップ１５）、超音波振動子３の振動振幅が増大される（ステップ１６）。
そして、制御部４に内蔵されるタイマーのカウント値Ｔｏがあらかじめ設定された所定値Ｔを超えると（ステップ１７，１８）、ステップ１５に移行して受光部９からの検出信号の有無を検出する。
【００２９】
ステップ１５で受光部９からの検出信号を受光し続けている場合にはステップ１６〜１８の動作を繰り返す。
ステップ１５で、受光部９からの検出信号を受光しなくなった場合には、超音波振動子３の振動振幅を初期値に復帰させ（ステップ１９）、ステップ１３に復帰する。
【００３０】
ステップ１４において、電源スイッチがオフされると、制御部４の動作が停止して、超音波振動子３、光源部６及び受光部９の動作が停止される（ステップ２０）。
上記のように構成された美容装置では、第一の実施形態で得られた作用効果に加えて、次に示す作用効果を得ることができる。
（１）角栓中のポルフィリンの量を受光部で検出することができる。そして、角栓中のポルフィリンが一定量以上であるとき、あらかじめ設定された所定時間の間、超音波振動子３すなわち弾性振動板２の振幅が増大するので、毛穴の汚れを充分に除去することができる。
（２）角栓中のポルフィリンの量が減少すると、超音波振動子３の振幅を初期値まで自動的に減衰させることができる。従って、弾性振動板２の必要以上の振動による肌面への悪影響を防止することができる。
（第三の実施形態）
図８は、第三の実施形態を示す。この実施形態は、受光部９から出力されるポルフィリンの検出信号に基づく制御部４の動作のみが前記第二の実施形態とは異なる。美容装置の機械的構成は第二の実施形態と同様であるので、詳細な説明を省略するとともに、同一符号を付して説明する。
【００３１】
図８に示すように、操作部７の電源スイッチがオンされると、電源部５から制御部４に電源が供給される（ステップ２１）。そして、超音波振動子３が作動して弾性振動板２が振動するとともに（ステップ２２）、光源部６が作動して青色光が出力される（ステップ２３）。
【００３２】
この状態で、弾性振動板２の先端で鼻や頬等の肌面を擦るように施術すると、肌面に付着している角質や化粧汚れあるいは毛穴の角栓が除去される。また、施術部への青色光の照射により、毛穴の角栓中に存在するポルフィリンから活性酸素が発生し、毛穴に存在するにきびの原因菌であるアクネ菌が殺菌されるとともに、活性酸素により皮脂腺の活動が抑制される。この結果、にきびの発生や毛穴のつまりを抑制することが可能となる。
【００３３】
肌面に青色光を照射しながら施術するとき、制御部４が受光部９からの検出信号を受信すると（ステップ２５）、光源部６の発光出力が増大される（ステップ２６）。
そして、制御部４に内蔵されるタイマーのカウント値Ｔｏがあらかじめ設定された所定値Ｔを超えると（ステップ２７，２８）、ステップ２５に移行して受光部９からの検出信号の有無を検出する。
【００３４】
ステップ２５で受光部９からの検出信号を受光し続けている場合にはステップ２６〜２８の動作を繰り返す。
ステップ２５で、受光部９からの検出信号を受光しなくなった場合には、光源部６の発光出力を初期値に復帰させ（ステップ２９）、ステップ２３に復帰する。
【００３５】
ステップ２４において、電源スイッチがオフされると、制御部４の動作が停止して、超音波振動子３、光源部６及び受光部９の動作が停止される（ステップ３０）。
上記のように構成された美容装置では、第一の実施形態で得られた作用効果に加えて、次に示す作用効果を得ることができる。
（１）角栓中のポルフィリンの量を受光部で検出することができる。そして、角栓中のポルフィリンが一定量以上であるとき、あらかじめ設定された所定時間の間、光源部６の発光量が増大するので、にきび菌を充分に殺菌し、皮脂腺の活動を抑制することができる。
（２）角栓中のポルフィリンの量が減少すると、光源部６の発光量を初期値まで自動的に減衰させることができる。
（第四の実施形態）
図９は、第四の実施形態を示す。この実施形態は、光源部６と受光部９の上下位置関係を第二の実施形態とは逆に位置させたものである。第二の実施形態と同一構成部分は同一符号を付して説明する。
【００３６】
グリップケース１の先端において、弾性振動板２の上方には光源部６と受光部９が配設され、受光部９が光源部６より弾性振動板２に近い位置に配設されている。上記以外の構成は第二の実施形態と同様である。
【００３７】
このような構成により、弾性振動板２を矢印Ａ方向に移動させて肌面を施術するとき、施術部の直前に位置する角栓からの赤色光を受光部９で受光し易くなる。すると、施術しようとする角栓に一定量以上のポルフィリンが存在する場合には、弾性振動板２で当該角栓を施術する直前に、弾性振動板２の振動振幅あるいは光源部６の発光出力を増大させることができる。
【００３８】
上記のように構成された美容装置では、第一及び第二の実施形態で得られた作用効果に加えて、次に示す作用効果を得ることができる。
（１）弾性振動板２で施術しようとする角栓内のポルフィリンの量を、容易にかつ精度よく検出することができる。
（２）弾性振動板２で角栓を施術しようとするとき、肌面に沿って移動する弾性振動板２が当該角栓に達する直前に、ポルフィリンの量に応じて弾性振動板２の振動振幅を調整することができる。従って、毛穴の詰まりを充分に除去することができる。
（３）弾性振動板２で角栓を施術しようとするとき、肌面に沿って移動する弾性振動板２が当該角栓に達する直前に、ポルフィリンの量に応じて光源部６の発光出力を調整することができる。従って、毛穴内のにきび菌を充分に殺菌し、皮脂腺の活動を抑制することができる。
（第五の実施形態）
図１０及び図１１は、第五の実施形態を示す。この実施形態は、弾性振動板２の先端部に光源部６から出力される光を弾性振動板２の反対側に透過させる開口部１０を設けたものである。その他の構成は、前記第四の実施形態と同様である。
【００３９】
図１０に示すように、前記開口部１０は、弾性振動板２の曲げ強度を確保するために、弾性振動板２の全幅の１／４〜１／２の開口幅とすることが望ましい。
また、開口部１０の開口幅をさらに大きくする場合には、図１２に示すように、開口部１０に透明な合成樹脂などで形成した投光板１１を嵌着すると、弾性振動板２の強度を確保することが容易となる。
【００４０】
このように構成された美容装置では、図１１に示すように、光源部６から出力される青色光が開口部１０を経て弾性振動板２の反対側まで照射される。このような構成により、弾性振動板２を肌面に沿って矢印Ｂ方向に移動させるとき、施術後の毛穴に青色光が照射される。
【００４１】
上記のように構成された美容装置では、第四の実施形態で得られた作用効果に加えて、次に示す作用効果を得ることができる。
（１）弾性振動板２による施術後の毛穴に対し、光源部６から青色光を照射することができる。従って、汚れを除去した後の毛穴の殺菌処理と、皮脂腺の活動抑制処理とを行うことができる。
（２）開口部１０に透明な投光板１１を嵌着することにより、開口部１０に充分な開口面積を確保しながら、弾性振動板２の強度を確保することができる。
（第六の実施形態）
図１３は、第六の実施形態を示す。この実施形態は、前記第二〜第四の実施形態のグリップケース１の先端に弾性振動板２の周囲を覆うカバー１２を設けたものである。その他の構成は第二〜第四の実施形態と同様である。
【００４２】
図１３に示すように、グリップケース１の先端には、グリップケース１の先端から突出される弾性振動板２の先端のみを露出させる筒状のカバー１２が形成されている。そして、カバー１２は例えば塩化ビニールで円筒状に形成され、その内周面に遮光性の塗装が施されている。また、カバー１２はグリップケース１と同材質あるいは異なる材質でもよく、四角筒状でもよい。
【００４３】
このように構成された美容装置では、カバー１３により光源部６から出力される青色光の拡散が抑制され、青色光が施術部に効率よく照射される。また、青色光の照射に基づいて、ポルフィリンが発する赤色光を受光部９で受光し易くなる。
【００４４】
従って、青色光による毛穴の殺菌処理及び皮脂腺の活動抑制処理を効率よく行うことができるとともに、ポルフィリンが発する赤色光に基づいて、光源部６の発光出力の制御及び弾性振動板２の振幅制御を正確に行うことができる。
【００４５】
上記実施形態は、以下の態様で実施してもよい。
・光源部６から紫外線を照射するようにしてもよい。
・第五の実施形態において、開口部１０は複数の開口部を格子状に配設して、開口面積を確保しながら、弾性振動板２の曲げ強度を確保するようにしてもよい。
【符号の説明】
【００４６】
１…グリップケース、２…弾性振動板、３…超音波振動子、４…制御部、６…光源部、９…受光部、１０…開口部、１１…投光板、１２…カバー。
【図１】
2012065893.tif 000003
【図２】
2012065893.tif 000004
【図３】
2012065893.tif 000005
【図４】
2012065893.tif 000006
【図５】
2012065893.tif 000007
【図６】
2012065893.tif 000008
【図７】
2012065893.tif 000009
【図８】
2012065893.tif 000010
【図９】
2012065893.tif 000011
【図１０】
2012065893.tif 000012
【図１１】
2012065893.tif 000013
【図１２】
2012065893.tif 000014
【図１３】
2012065893.tif 000015